(57)【特許請求の範囲】
【請求項１】
排水口１と、
排水口１を開閉する弁部材２と、
排水口１の開閉操作を行う操作部と、
からなる遠隔操作式排水栓装置において、
操作部を、
槽体又は槽体近傍に配置される、筒状の操作部本体３と、
使用者が直接触れて操作を行うスイッチ部材４と、
槽体又は槽体近傍の表側から操作部本体３内部に着脱され、該スイッチ部材４を操作部本体３に支持固定するスイッチ支持具５と、
操作部本体３に固定され、スイッチ支持具５を操作部本体３と挟持して固定する支持具固定部材６と、
から構成したことを特徴とする遠隔操作式排水栓装置。
【請求項２】
操作部本体３を、槽体又は槽体近傍の表側の面に位置決めして設けたことを特徴とする、請求項１に記載の遠隔操作式排水栓装置。
【請求項３】
上記支持具固定部材６が、
操作部本体３の槽体内部部分を覆う化粧カバーであることを特徴とする、請求項１又は請求項２に記載の遠隔操作式排水栓装置。
【請求項４】
上記遠隔操作式排水栓装置において、
槽体の側面に、操作部本体３を取り付けるための操作部取付口Ｓ２を設けると共に、
操作部本体３に、施工時操作部取付口Ｓ２周縁に当接する外フランジ部３ａを備え、
槽体内壁の、該外フランジ部３ａの当接部分とその周囲とで段差を設けないことを特徴とする、
請求項３に記載の遠隔操作式排水栓装置。
【請求項５】
上記遠隔操作式排水栓装置の操作部本体３内部を、槽体のオーバーフロー排水を行うオーバーフロー排水口１としたことを特徴とする、請求項１乃至請求項４のいずれか１つに記載の遠隔操作式排水栓装置。
【請求項６】
上記スイッチ部材４と弁部材２との連絡を、
筒状のアウターチューブ７ａ及びアウターチューブ７ａ内を摺動自在に動作するインナーワイヤ７ｂ、からなるレリースワイヤ７、
にて行うことを特徴とする、
請求項１乃至請求項５のいずれか１つに記載の遠隔操作式排水栓装置。
【発明の詳細な説明】
【技術分野】
【０００１】
本発明は洗面台、浴槽等の槽体に取り付けられる遠隔操作式排水栓装置に関するものであって、更に詳しくは、遠隔操作式排水栓装置の排水口の開閉を操作する操作部の構造に関するものである。
【背景技術】
【０００２】
従来より洗面台、浴槽等の槽体には、排水口に備えられたゴム栓などの止水用の弁部材に直接手を触れることなく、操作部の操作によって排水口を開閉することができる遠隔操作式排水栓装置が利用されている。以下に槽体である洗面ボウルと、該洗面ボウルに採用された遠隔操作式排水栓装置の従来例を、図面を参照しつつ説明する。
図５に示した従来の遠隔操作式排水装置は、弁部材、排水栓本体、排水接続管、オーバーフロー配管、操作部、レリースワイヤ、駆動部、等の各部材より構成されてなる。以下に各部材の構造を記載する。
弁部材は略円盤状の弁体と、該弁体の中心より直下方向に垂下した弁軸からなる。
排水栓本体は上方に排水口を設けてなり、また内部に排水の通水路を備えた筒状の部材である。
排水接続管は、筒状の管体であって、内部上方に後述する駆動部の固定部を備えてなる。また、排水接続管の途中部分に、側面方向に向けて、後述するオーバーフロー配管を接続するための枝管部を設けてなる。
操作部は、以下に記載する操作部本体、スイッチ部材、操作部固定部材、スイッチ支持具、パッキン部材、からなる。尚、本従来例では、操作部本体内部、及び操作部固定部材の内部をオーバーフロー排水が流れるように構成されている。即ち、操作部の一部がオーバーフロー配管の部材と兼用されて構成されてなる。
操作部本体は、円筒状にして外周面に雄ネジを備え、また槽体内側の端部外周面に、周縁に沿って突出して外フランジ部を設けてなる。
スイッチ部材は、使用者が直接触れて操作を行う部材であって、レリースワイヤとの接続部を備えてなる。
操作部固定部材は、操作部本体を槽体に取り付けるための部材であって、その一端の内部に雌ネジを備えた略Ｌ字形状の管体からなる。
スイッチ支持具は、スイッチ部材を操作部本体内部の任意の位置に押し込み操作可能に支持する部材であって、円筒形状の支持具本体部分と、その周囲に同心円状に配置されたリング部、及び支持具本体部分とリング部とを連結する支持翼とからなる。また、該スイッチ支持具において、リング部の外周面には操作部固定部材の雌ネジと螺合する雄ネジが設けられてなると共に、支持具本体部分の内部にはレリースワイヤのインナーワイヤが挿通される穴が貫通して設けられ、その端部にはネジを利用してレリースワイヤのアウターチューブが取り付けられるように構成されてなる。尚、後述するように、本従来例において、スイッチ部材はこのスイッチ支持具では無くレリースワイヤのインナーワイヤ端部に支持・接続されるように構成されてなるが、レリースワイヤがこのスイッチ支持具に接続固定されることから、この従来例では、レリースワイヤを介して、スイッチ支持具にスイッチ部材が押し込み操作可能に支持される構成、である。
パッキン部材は弾性を有するゴム材等からなるリング状の部材で、施工完了時操作部本体のフランジ部裏面と操作部取付口周縁の間に配置される。
オーバーフロー配管は、上記した操作部本体及び操作部固定部材と、該操作部固定部材の下流側に接続され、操作部本体内部からの排水通過するホース管であるオーバーフロー管と、からなる。
レリースワイヤは、操作部の動作を駆動部に伝達する部材であって、側面方向に対して可撓性を備え、軸方向には剛性を備えた円筒状のアウターチューブと、該アウターチューブ内に配置され、アウターチューブ内に滑動自在に配置された、側面方向に対して可撓性を備え、軸方向には剛性を備えたインナーワイヤと、からなる。このレリースワイヤのインナーワイヤは、一端は操作軸の下端に接続し、他端は操作部の押し操作毎に支持軸後端に当接して支持軸を押し上げるように構成してなる。また、該レリースワイヤはアウターチューブに対してインナーワイヤを常に操作部側に付勢する戻りスプリング（図示せず）を内蔵している。
駆動部は、ノック式ボールペンなどに採用されているスラストロック機構と呼ばれる機構を備えてなり、その内部に、上下方向に昇降自在で、下端に押し上げ操作を受ける都度、上昇した状態を維持固定／固定を解除して下方に降下、を繰り返す支持軸を備えてなる。
また、その他の部材として、排水接続管の下流側端部に接続するためのトラップ配管を備えてなる。
また、この遠隔操作式排水栓装置が施工される洗面台の洗面ボウルは、上方が開口した槽体であって、槽体下方に排水栓を取り付ける取付口と、槽体内であって、槽体の上縁近傍に、操作部を取り付ける操作部取付口を備えてなる。
【０００３】
上記の各部材から構成された遠隔操作式排水栓装置を洗面ボウルに施工する場合、
まず工場などで操作部固定部材、オーバーフロー管、排水接続管の枝管部を接続する。更にオーバーフロー管の内部にレリースワイヤを挿通する。そして、操作部側においてはスイッチ支持具にレリースワイヤの端部を接続固定しておき、リング部の雄ネジに操作部固定部材の雌ネジを螺合させて奥まで押し込んだ位置に配置しておく。また、排水接続管側は駆動部にレリースワイヤを接続した後、駆動部を排水接続管の固定部に取り付け固定する。
この状態において遠隔操作式排水栓装置を施工現場に搬入し、まず操作部本体と操作部固定部材とを螺合させ、操作部本体を槽体である洗面ボウルの操作部取付口に取り付け固定する。その後、冶具を使いスイッチ支持具を回転させ、奥側から手前側に移動させる。最終的にスイッチ支持具を操作部本体の奥側端部に当接するところまで進めた上で、レリースワイヤのインナーワイヤにスイッチ部材を取り付ける（段落０００２に記載したように、この状態にて、レリースワイヤを介し、スイッチ支持具にスイッチ部材が押し込み操作可能に支持された状態となる）。
次に排水栓本体を取付口に取り付けてから、排水栓本体の下端と排水接続管の上端を接続し、更に排水接続管の下端と下水側の床下配管とを、トラップ配管を介して接続する。
更に弁部材を、支持軸の上方に弁軸が配置されるように排水口から排水栓本体内部に配置して、遠隔操作式排水栓装置の施工が完了する。
【０００４】
上記のように施工した遠隔操作式排水栓装置を使用する場合、まず排水口が閉口した状態、即ち駆動部の支持軸が下方に下がり、弁部材の弁体が降下して排水口を閉塞した状態とする。この状態から操作部のスイッチ部材に押し込み操作を加えて、レリースワイヤのインナーワイヤを駆動部側に前進させると、インナーワイヤ先端が駆動部の支持軸を押し上げ、更に支持軸が弁軸を押し上げた状態、即ち弁部材全体が上昇し、弁体が排水口から離間して排水口が開口した状態となる。この時、スラストロック機構の作用により、支持軸は上昇した状態で支持・固定される。尚、戻りスプリングの効果により、レリースワイヤのインナーワイヤは、使用者が操作部のスイッチ部材から手を離すと操作部側に移動する。
この状態から再度操作部のスイッチ部材に押し込み操作を加えて、レリースワイヤのインナーワイヤを前進させると、インナーワイヤ先端が駆動部の支持軸を押し上げて再度スラストロック機構が作動し、スラストロック機構の支持軸の固定が解除され、自重により支持軸と共に弁軸が降下し、排水口が弁体により閉口される。尚、この際も、戻りスプリングの効果により、レリースワイヤのインナーワイヤは使用者が操作部のスイッチ部材から手を離すと操作部側に移動する。以下、同様の操作を繰り返すことで、排水口を遠隔操作にて自由に開閉することができる。
尚、排水口を閉塞した状態において洗面ボウル内に吐水を行い、洗面ボウル内に水を溜めると、操作部本体の開口の下端まで達した水面が上昇した時点で、そのまま洗面ボウル内部の溜まり水が操作部本体内部から操作部固定部材、及びオーバーフロー管を介して排水接続管内部に排出され、最終的に下水側に支障無く排水を行うことができる。
【先行技術文献】
【特許文献】
【０００５】
【特許文献１】特開２００４−１８３２２５号公報
【発明の概要】
【発明が解決しようとする課題】
【０００６】
上記従来の遠隔操作式排水栓装置の操作部においては、以下に記載記載するような問題点があった。
１．遠隔操作式排水栓装置においては、修理またメンテナンスのため、操作部側のスイッチ部材やスイッチ支持具を遠隔操作式排水栓装置から取り出し、新しい部材と交換する必要がある場合がある。しかしながら上記従来例の場合、操作部本体とリング部の径がほぼ同じ径に構成されているため、スイッチ部材はともかく、スイッチ支持具を取り出して交換するためには、操作部本体と操作部固定部材の螺合を解除しなければ作業を行うことができなかった。この操作部本体と操作部固定部材の螺合を解除する作業は、洗面ボウルの表側と裏側の両方に操作を行う必要があり、分解する作業が困難となるのはもちろんの事、再度取り付ける際も相当の手間が掛かる。また、上記従来例のように、スイッチ支持具とレリースワイヤを接続している場合、レリースワイヤを交換するだけであっても、操作部本体と操作部固定部材の螺合を解除した上でなければスイッチ支持具とレリースワイヤの取り外し作業が行うことができなかった。
２．上記遠隔操作式排水栓装置の操作において、操作部本体に対するスイッチ部材の飛び出し量がある一定の範囲になければ、遠隔操作式排水栓装置の操作は好適に行うことはできない。具体的には、スイッチ部材が操作部本体や槽体などの取り付け面に対し、極端に飛び出していたり、逆に使用者の指が届かないほど奥に配置されていた場合、操作を好適に行うことができない、という問題がある。ところが、上記した従来の遠隔操作式排水栓装置では、スイッチ部材を支持するスイッチ支持具は、操作部本体ではなく操作部固定部材に固定されるため、スイッチ支持具の位置が全く位置調整が行われない場合、操作部取付口の周縁が薄いと操作部本体に対し突出するように、操作部取付口の周縁が厚いと操作部本体に対し奥側に引っ込むように、それぞれ配置されてしまい、スイッチ部材の位置が操作部本体に対し安定しない、という問題を生じる。この問題を解決するため、上記従来例では、ワイヤ支持具の位置を螺合によって調整し、操作部本体の後端に当接する位置まで螺合を進める構成として、操作部本体とスイッチ支持具の取り合いを一定のものとしている。しかしながら、実際にはスイッチ支持具は螺合により操作部固定部材に固定されているため、操作部本体に当接するまで螺合を進めなくとも、スイッチ部材に押し込み操作を行うことができ、遠隔操作式排水栓装置自体は（スイッチ部材が奥方向にあり使用感に不具合を感じつつ）動作することができる。このように、施工者の施工ミスなどによりスイッチ支持具が操作部本体に当接しない不適切な位置のままとなっていても、遠隔操作式排水栓装置は一応、動作するため、施工ミスが明らかにならずにそのまま放置される場合があった。
３．操作部の止水性を確保するために用いられるパッキン部材は通常黒色であり、意匠正が悪い。また、実際の施工において、操作部本体が水平面に取り付けられる場合、このパッキン部材や操作部本体の外フランジ部が操作部取付口の周囲の壁面に対し凹凸とならないように、操作部取付口の周囲に、「段押し」と呼ばれる窪みを設け、この窪みの中にパッキン部材や外フランジ部を収納して意匠性を高める場合がほとんどである。しかしながら、槽体の垂直面に操作部が取り付けられる場合、操作部取付口の対向位置にも壁が備えられる場合が多く、金型や成型の関係から垂直面には段押しを設けることができない場合がほとんどであった。このため、槽体の壁面に対してパッキン部材や外フランジ部が突出し、黒いパッキン部材等が直視できる状態となってしまったり、操作部本体とパッキン部材との境目の凹凸などで意匠性が著しく悪化する、という問題があった。
本発明は上記問題点を解消するために考案されたものであり、洗面台の洗面ボウルや浴室の浴槽、流し台のシンクなど排水機器の槽体に用いられる遠隔操作式排水栓装置において、
１．操作部の修理・メンテナンスを容易なものとする。
２．操作部取付口周縁がどのような厚みであっても、スイッチ部材と操作部本体の位置関係を一定のものとする。また操作部の施工時において施工ミスが生じない、または生じても容易に気が付くようにする。
３．操作部の意匠性を好適なものとする。
等の効果を有する遠隔操作式排水栓装置を提供するものである。
【課題を解決するための手段】
【０００７】
請求項１に記載の本発明は、排水口１と、排水口１を開閉する弁部材２と、排水口１の開閉操作を行う操作部と、からなる遠隔操作式排水栓装置において、
操作部を、槽体又は槽体近傍に配置される、筒状の操作部本体３と、使用者が直接触れて操作を行うスイッチ部材４と、槽体又は槽体近傍の表側から操作部本体３内部に着脱され、該スイッチ部材４を操作部本体３に支持固定するスイッチ支持具５と、操作部本体３に固定され、スイッチ支持具５を操作部本体３と挟持して固定する支持具固定部材６と、から構成したことを特徴とする遠隔操作式排水栓装置である。
【０００８】
請求項２に記載の本発明は、操作部本体３を、槽体又は槽体近傍の表側の面に位置決めして設けたことを特徴とする、段落０００７に記載の遠隔操作式排水栓装置である。
尚、ここで言う「槽体又は槽体近傍の表側の面」とは槽体の上面及びそれに連続する面である。
【０００９】
請求項３に記載の本発明は、上記支持具固定部材６が、操作部本体３の槽体内部部分を覆う化粧カバーであることを特徴とする、段落０００７又は段落００８に記載の遠隔操作式排水栓装置である。
【００１０】
請求項４に記載の本発明は、槽体の側面に、操作部本体３を取り付けるための操作部取付口Ｓ２を設けると共に、操作部本体３に、施工時操作部取付口Ｓ２周縁に当接する外フランジ部３ａを備え、槽体内壁の、該外フランジ部３ａの当接部分とその周囲とで段差を設けないことを特徴とする、段落０００９に記載の遠隔操作式排水栓装置である。
【００１１】
請求項５に記載の本発明は、上記遠隔操作式排水栓装置の操作部本体３内部を、槽体のオーバーフロー排水を行うオーバーフロー排水口１としたことを特徴とする、段落０００７乃至段落００１０のいずれか１つに記載の遠隔操作式排水栓装置である。
【００１２】
請求項６に記載の本発明は、上記スイッチ部材４と弁部材２との連絡を、筒状のアウターチューブ７ａ及びアウターチューブ７ａ内を摺動自在に動作するインナーワイヤ７ｂ、からなるレリースワイヤ７、にて行うことを特徴とする、段落０００７乃至段落００１１のいずれか１つに記載の遠隔操作式排水栓装置である。
【発明の効果】
【００１３】
本発明の遠隔操作式排水栓装置は、以下の効果を奏する。
１．請求項１に記載の本発明は、スイッチ支持具を介し、操作部本体に使用者が直接触れて操作を行うスイッチ部材を取り付けることで、スイッチ部材が操作部本体に対し定まった位置に配置される。このため、操作部本体に対するスイッチ部材の押し込み量が安定し、操作部の使用感を向上することができる。
また、支持具固定部材及びスイッチ支持具を槽体又は槽体近傍の表側から操作部本体に着脱するため、スイッチ支持具の固定／解除を槽体又は槽体近傍の表側から行うことができる。またこの際、操作部本体を槽体又は槽体近傍から外す必要がないため、スイッチ支持具を操作部から外す作業が極めて容易にでき、修理またメンテナンスを極めて容易とすることができる。
また、スイッチ支持具は操作部本体に対して直接固定される事はなく、支持具固定部材と操作部本体とで挟持されることで固定されるため、施工ミス等で支持具固定部材の取り付けが不適切な場合、スイッチ支持具が固定されず、遠隔操作式排水栓装置の操作ができなくなり、使用者に施工ミスが明確に分かるようにすることができる。
２．請求項２に記載の本発明は、操作部本体を、槽体又は槽体近傍の表側の面に位置決めして設けたことによって、槽体又は槽体近傍の厚みがどの様に変化しても、スイッチ部材の飛び出し量を、操作部の表面に対して設計した一定の値とすることができ、操作部の使用感を向上することができる。
３．請求項３に記載の本発明は、支持具固定部材を化粧カバーとしたことで、遠隔操作式排水栓装置の操作部の意匠性を向上することができる。これは、請求項４に記載したように、段押しを設けることが困難な、槽体の垂直面に操作部取付口Ｓ２を設けた場合の意匠性確保に効果的である。
４．請求項５に記載の本発明は、操作部を槽体のオーバーフロー排水を行うオーバーフロー排水口としたことで、意匠性の向上、また部材の兼用化によるコストダウンを達成することができる。
５．請求項６に記載の本発明は、スイッチ部材と弁部材との連絡にレリースワイヤを採用してなる。従来の遠隔操作式排水栓装置の場合、スイッチ支持部の位置調整の為ワイヤ支持具を回転させ螺合を進める／戻す必要があるが、この回転により接続されているレリースワイヤが捻れて破損を生じる場合があるが、本発明の遠隔操作式排水栓装置では、施工の際に螺合を利用してもワイヤ支持具は回転しないため、前述のようなレリースワイヤの捻れによる破損は生じないなど、レリースワイヤを使用するのに好適な構造の遠隔操作式排水栓装置である。
【図面の簡単な説明】
【００１４】
【図１】本発明の実施例の遠隔操作式排水栓装置を示す断面図である。
【図２】本発明の実施例の遠隔操作式排水栓装置を示す断面図である。
【図３】本発明の遠隔操作式排水栓装置の操作部を示す断面図である。
【図４】本発明の遠隔操作式排水栓装置の操作部の部材構成を示す断面図である。
【図５】従来の遠隔操作式排水栓装置を示す断面図である。
【実施例】
【００１５】
以下に本発明の実施例を、図面を参照しつつ説明する。
図１乃至図４に示した本発明の実施例の遠隔操作式排水装置は、弁部材２、排水栓本体８、排水接続管９、オーバーフロー配管、操作部、レリースワイヤ７、等の各部材より構成されてなる。以下に各部材の構造を説明する。
弁部材２は略円盤状の弁体２ａと、該弁体２ａの中心より直下方向に垂下した弁軸２ｂからなる。
排水栓本体８は上方に排水口１を設けてなり、また内部に排水の通水路を備えた筒状の部材である。
排水接続管９は、筒状の管体であって、内部上方に後述する駆動部１０の固定部９ａを備えてなる。また、排水接続管９の途中部分に、側面方向に向けて、後述するオーバーフロー配管を接続するための枝管部９ｂを設けてなる。尚、この枝管部９ｂの内部には、操作部からのレリースワイヤ７も挿通する。
操作部は、槽体である洗面ボウルＳの側面に設けられた、操作部取付口Ｓ２に取り付けられる部材であって、次に記載する操作部本体３、スイッチ支持具５、化粧カバーを兼ねた支持具固定部材６、スイッチ部材４、操作部固定部材１１、パッキン部材１２、からなる。尚、本実施例では、操作部本体３の内部の開口から、洗面ボウルＳ内部に溜まった排水が操作部固定部材１１及び後述するオーバーフロー管１３を介して排水接続管９に排出されるように構成されてなる。即ち、操作部の一部がオーバーフロー配管の部材と兼用されて構成されてなる。
操作部本体３は、円筒形状にして外側面に雄ネジを、内側面に雌ネジを、それぞれ備えてなる。また槽体内側方向の端部の外周面に、周縁に沿って突出して設けた外フランジ部３ａを、槽体外側方向の端部の内周面に、周縁に沿って突出して設けた内フランジ部３ｂを、それぞれ設けてなる。
スイッチ部材４は、使用者が直接触れて操作を行う部材であって、有底円筒形状にして内面中央にレリースワイヤ７のインナーワイヤ７ｂ端部との接続部４ａを備えてなる。
スイッチ支持具５は、スイッチ部材４を操作部本体３内部の任意の位置に押し込み操作可能に支持する部材であって、円筒形状の支持具本体部分５ａと、その周囲に同心円状に配置されたリング部５ｂ、及び支持具本体部分５ａとリング部５ｂとを連結する支持翼５ｃとからなる。該スイッチ支持具５において、リング部５ｂの外径は操作部本体３の内径とほぼ同一であり、また本体部部の外径はスイッチ部材４の内径よりも小径である。また、該スイッチ支持具５において、支持具本体部分５ａの内部にはレリースワイヤ７のインナーワイヤ７ｂが挿通される穴が貫通して設けられ、その端部には特に図示しないがネジを利用してレリースワイヤ７のアウターチューブ７ａが取り付けられるように構成されてなる。尚、後述するように、本実施例において、スイッチ部材４はこのスイッチ支持具５では無くレリースワイヤ７のインナーワイヤ７ｂ端部に支持・接続されるように構成されてなるが、レリースワイヤ７がこのスイッチ支持具５に接続固定されることから、この実施例は、レリースワイヤ７を介し、スイッチ支持具５にスイッチ部材４が押し込み操作可能に支持される構成である。
支持具固定部材６は、円筒状にしてその外周端部に操作部本体３の雌ネジと螺合する雄ネジを備え、また反対側の端部には施工時フランジ部を覆い隠す化粧板部６ａが備えられてなる。この化粧板部６ａがパッキン部材１２や外フランジ部３ａを覆い隠すことで、操作部周辺の操作部本体３とパッキン部材１２、また洗面ボウルＳ内面との凹凸や、パッキン部材１２の黒色部分などを覆い隠し、操作部の意匠性を向上させる。
操作部固定部材１１は、操作部本体３を槽体に取り付けるための部材であって、その一端の内部に雌ネジを備えた略Ｌ字形状の管体からなる。
パッキン部材１２は弾性を有する黒色のゴム材等からなるリング状の部材で、施工完了時操作部本体３のフランジ部裏面と操作部取付口Ｓ２周縁の間に配置される。
オーバーフロー配管は、上記した操作部本体３及び操作部固定部材１１と、側面方向に可撓性を備えたホース管であって、一端は排水接続管９の枝管部９ｂに、他端は操作部固定部材１１の端部に、それぞれ接続されるオーバーフロー管１３と、からなる。
レリースワイヤ７は、操作部の動作を、駆動部１０を介して弁部材２に伝達する部材であって、側面方向に対して可撓性を備え、軸方向には剛性を備えた円筒状のアウターチューブ７ａと、該アウターチューブ７ａ内に配置され、アウターチューブ７ａ内に滑動自在に配置された、側面方向に対して可撓性を備え、軸方向には剛性を備えたインナーワイヤ７ｂと、からなる。
駆動部１０は、ノック式ボールペンなどに採用されているスラストロック機構と呼ばれる機構を備えてなり、その内部に、上下方向に昇降自在で、下端に押し上げ操作を受ける都度、上昇した状態を維持固定／固定を解除して下方に降下、を繰り返す支持軸１０ａを備えてなる。
また、その他の部材として、排水接続管９の下流側端部に接続するためのトラップ配管１４を備えてなる。
また、この遠隔操作式排水栓装置が施工される、槽体としての洗面台の洗面ボウルＳは、人工大理石などの樹脂により成型された、上方が開口した槽体であって、洗面ボウルＳ下方に排水栓本体８を取り付ける取付口と、洗面ボウルＳ内であって、洗面ボウルＳの上縁近傍であってほぼ垂直な面に、操作部を取り付けるための操作部取付口Ｓ２を備えてなる。尚、この操作部取付口Ｓ２の周縁は、成型上の関係からほぼ平坦面に形成されており、操作部本体３を取り付ける際に操作部本体３の外フランジ部３ａを収納して洗面ボウルＳ側壁の表面とフランジ部表面との段差を無くすための段押しは設けていない。これは洗面ボウルＳを成型する上での金型抜きの関係から、垂直面に段押し部の窪みを設けることが困難であるためである。  
【００１６】
上記の各部材から構成された遠隔操作式排水栓装置を洗面ボウルＳに施工する場合、まず排水栓本体８を洗面ボウルＳの取付口に取り付けておく。次に、操作部本体３の筒部分をパッキン部材１２及び操作部取付口Ｓ２に挿通し、外フランジ部３ａ裏面をパッキン部材１２を介して洗面ボウルＳの操作部取付口Ｓ２の表側周縁に当接させておく。更に洗面ボウルＳの裏側から操作部固定部材１１を配置して操作部本体３の雄ネジと操作部固定部材１１の雌ネジを螺合させる。これにより、パッキン部材１２を介して、操作部本体３と操作部固定部材１１とで操作部取付口Ｓ２周縁を挟持させ固定する。次に、オーバーフロー管１３の一端に操作部固定部材１１の下端を、他端に排水接続管９の枝管部９ｂを、それぞれ接続する。
更にレリースワイヤ７を、操作部本体３内部の開口から、操作部本体３固定部９ａ材、オーバーフロー管１３、排水接続管９の枝管部９ｂを介し、排水接続管９の内部まで挿通する。
次に、排水接続管９側のレリースワイヤ７端部を駆動部１０に接続した上で、駆動部１０を排水接続管９の固定部９ａに固定し、更に排水栓本体８に排水接続管９を接続固定する。
更にレリースワイヤ７の操作部側端部を、ワイヤー支持具の支持具本体部分５ａの端部に接続する。この接続作業によって、支持具本体部分５ａの内部にはレリースワイヤ７のインナーワイヤ７ｂが挿通されると共に、その端部にはレリースワイヤ７のアウターチューブ７ａが取り付け固定される。
次に、操作部本体３内部に、表側からスイッチ支持具５を挿通して、リング部５ｂの後端に内フランジ部３ｂが当接するようにする。更に支持具固定部材６を排水口１本体内部に挿通し、支持具固定部材６外面の雄ネジと操作部本体３内部の雌ネジを螺合させることで、操作部本体３の内フランジ部３ｂと支持具固定部材６の後端とによってスイッチ支持具５が挟持固定される。更にスイッチ部材４の接続部４ａとスイッチ支持具５端部に突出したレリースワイヤ７のインナーワイヤ７ｂ端部を接続する。段落００１５に記載したように、これにより、レリースワイヤ７を介し、スイッチ支持具５にスイッチ部材４が押し込み操作可能に支持された状態となる。
更に排水接続管９の下端と下水側の床下配管とを、トラップ配管１４を介して接続し、排水口１に、弁部材２の弁軸２ｂが駆動部１０の支持軸１０ａ上となるように配置して、本実施例の遠隔操作式排水栓装置の施工が完了する。
【００１７】
上記のように施工した遠隔操作式排水栓装置を使用する場合、まず排水口１が閉口した状態、即ち図１のように、駆動部１０の支持軸１０ａが下方に下がり、弁部材２の弁体２ａが降下して排水口１を閉塞した状態とする。この状態から操作部のスイッチ部材４に押し込み操作を加えて、レリースワイヤ７のインナーワイヤ７ｂを駆動部１０側に前進させると、インナーワイヤ７ｂ先端が駆動部１０の支持軸１０ａを押し上げ、更に支持軸１０ａが弁軸２ｂを押し上げた状態、即ち弁部材２全体が上昇し、弁体２ａが排水口１から離間して排水口１が開口した状態で、スラストロック機構の作用により、支持軸１０ａが支持・固定される。尚、戻りスプリングの効果により、レリースワイヤ７のインナーワイヤ７ｂは、使用者が操作部のスイッチ部材４から手を離すと操作部側に移動する。
この状態から再度操作部のスイッチ部材４に押し込み操作を加えて、レリースワイヤ７のインナーワイヤ７ｂを前進させると、インナーワイヤ７ｂ先端が駆動部１０の支持軸１０ａを押し上げて再度スラストロック機構が作動し、スラストロック機構の支持軸１０ａの固定が解除され、図２に示したように支持軸１０ａと共に弁軸２ｂが降下し、排水口１が弁体２ａにより閉口される。尚、この際も、戻りスプリングの効果により、レリースワイヤ７のインナーワイヤ７ｂは使用者が操作部のスイッチ部材４から手を離すと操作部側に移動する。以下、同様の操作を繰り返すことで、排水口１を遠隔操作にて自由に開閉することができる。
尚、図１のように排水口１を閉塞した状態において洗面ボウルＳ内に吐水を行い、洗面ボウルＳ内に水を溜めると、操作部本体３の開口の下端（正確には支持具固定部材６内面の下端）まで達した水面が上昇した時点で、そのまま操作部本体３内部（正確には支持具固定部材６内面の下端）から操作部固定部材１１、及びオーバーフロー管１３を介して排水を排水接続管９内部に排出し、最終的に下水側に支障無く排水を行うことができる。
【００１８】
上記実施例において、操作部本体３は、外フランジ部３ａがパッキン部材１２を介し槽体である洗面ボウルＳの操作部取付口Ｓ２の表側周縁に、当接した状態で固定されている。即ち、操作部本体３は槽体の表側の面に対して位置決めされて固定されている。更に、スイッチ支持具５は操作部本体３に固定され、レリースワイヤ７が該スイッチ支持具５に接続固定されてスイッチ部材４に接続されることから、スイッチ部材４及びスイッチ支持具５が操作部本体３によって位置決めされて固定されている。このため、スイッチ部材４が操作部本体３、呼び支持具固定部材６と共に槽体の表側の面に対して位置決めされている、と言える。これにより、操作部本体３やスイッチ部材４の飛び出し量を、槽体の表側の面を基準にして設計し、施工することができるようになった。つまり、槽体の操作部取付口Ｓ２の周縁の厚みに関係なく、常に槽体表面から設計した量だけスイッチ部材４を突出させたり、支持具固定部材６や操作部本体３を配置することができ、操作部本体３に対するスイッチ部材４の押し込み量が安定し、操作部の使用感が向上する。
また、スイッチ支持具５は排水栓本体８の内フランジ部３ｂと支持具固定部材６によって挟持されて固定される。スイッチ支持具５は直接操作部本体３や支持具固定部材６等、操作部の他の部材に位置決め固定されていないため、操作部本体３と支持具固定部材６による挟持が不十分な場合、操作部本体３と支持具固定部材６の間でスイッチ支持具５ががたつき、スイッチ部材４の押し込み操作が適正に行うことができないなどにより遠隔操作式排水栓装置の操作が事実上できなくなり、使用者が施工不良を容易に確認できる。
また上記実施例において、遠隔操作式排水栓装置のメンテナンス又は修理等の理由から操作部本体３よりレリースワイヤ７を取り出す必要が生じた場合、支持具固定部材６の操作部本体３との螺合を解除し、支持具固定部材６を洗面ボウルＳ内部側に取り出す。更にスイッチ支持具５を洗面ボウルＳ内部に引き出した上で、スイッチ支持具５とレリースワイヤ７の螺合を解除する。この後、排水栓本体８と排水接続管９の接続を解除し、駆動部１０とレリースワイヤ７の接続も解除する事で、レリースワイヤ７を操作部本体３から洗面ボウルＳ側に引き上げ、取り出すことができる。この作業においては、操作部本体３と操作部固定部材１１の接続を解除する必要はなく、例えばレリースワイヤ７を交換する場合では、少なくとも操作部側の作業についてはレリースワイヤ７の取り外し、また交換後の再取り付けを全て洗面ボウルＳ、即ち槽体の表側からだけの作業にて行うことができる。
また上記実施例においては、支持具固定部材６により操作部本体３の外フランジ部３ａやパッキン部材１２を覆い隠したことにより、操作部の意匠性を向上させることができる。
また上記実施例では、操作部を槽体のオーバーフロー排水を行うオーバーフロー排水口１としたことで、操作部とオーバーフロー配管を別々に設けた場合に比べて、洗面ボウルＳ内部またその近傍に複数開口を設ける場合に比較し開口の数が減り、意匠性の向上また部材の兼用化によるコストダウンを達成することができる。
【００１９】
本発明の実施例は以上のようであるが本発明は上記実施例に限定されるものではなく、主旨を変更しない範囲において自由に変更が可能である。例えば、上記実施例では、操作部をオーバーフロー配管と兼用して構成しているが、本発明は必ずしもこれに限定されるものではなく、操作部とオーバーフロー排水口１を別々の構成としても構わない。またその際、操作部本体３を槽体内面の垂直な壁面ではなく、槽体近傍の水平な壁面に設けても構わない。
【００２０】
また、上記実施例は槽体である洗面台の洗面ボウルＳに施工されてなるが、本発明は上記実施例に限定されることなく、流し台のシンク、浴室の浴槽など他の排水機器の槽体に使用してももちろん構わない。
【００２１】
また、上記実施例では遠隔操作式排水栓装置はレリースワイヤ７を試用しているが、例えば電動式の遠隔操作式排水栓装置などで、電波によって操作部と駆動部１０の間で連絡を行うようにしても構わない。この場合、スイッチ支持具５を操作部本体３に施工する、または取り外す作業は、単に操作部本体３と支持具固定部材６との螺合を行う／解除するだけで良く、やはり作業性は向上する。
【００２２】
また、上記実施例では、スイッチ部材４を押し込み操作するだけで排水口１を開閉する、ワンウェイ式（１ｗａｙ式）と呼ばれる遠隔操作式排水栓装置を示しているが、本発明では上記実施例に限定されるものではなく、スイッチ部材４を押し込み操作と引き込み操作の２方向の操作によって開閉する、ツーウェイ式（２ｗａｙ式）と呼ばれる遠隔操作式排水栓装置に採用しても構わない。
ツーウェイ式の遠隔操作式排水栓装置であっても、前述したような本発明の効果を得ることができる。
【符号の説明】
【００２３】
１      排水口              ２      弁部材
２ａ    弁体                ２ｂ    弁軸
３      操作部本体          ３ａ    外フランジ部
３ｂ    内フランジ部        ４      スイッチ部材
４ａ    接続部              ５      スイッチ支持具
５ａ    支持具本体部分      ５ｂ    リング部
５ｃ    支持翼              ６      支持具固定部材
６ａ    化粧板部            ７      レリースワイヤ
７ａ    アウターチューブ    ７ｂ    インナーワイヤ
８      排水栓本体          ９      排水接続管
９ａ    固定部              ９ｂ    枝管部
１０    駆動部              １０ａ  支持軸
１１    操作部固定部材      １２    パッキン部材
１３    オーバーフロー管    １４    トラップ配管
Ｓ      洗面ボウル          Ｓ１    操作部取付口
【図１】
0005412611.tif 000002
【図２】
0005412611.tif 000003
【図３】
0005412611.tif 000004
【図４】
0005412611.tif 000005
【図５】
0005412611.tif 000006